(57)【特許請求の範囲】
【請求項１】
シート積載台上に積載されたシート状物の最上部から１枚ずつ給紙する給紙装置と、
規制軸に着脱可能に支持され、前記シート積載台上に積載された前記シート状物の後端側の左右方向および後端を規制する第１のシート状物規制部材と、
前記シート積載台上に積載された前記シート状物の後端を規制する第２のシート状物規制部材とを備え、
前記シート状物のサイズに対応して、前記第１のシート状物規制部材を前記規制軸から取り外して前記第２のシート状物規制部材によって前記シート状物を規制することと、前記第１のシート状物規制部材を前記規制軸に取り付けて前記第１のシート状物規制部材によって前記シート状物を規制することを選択可能としたことを特徴とするシート状物積載規制装置。
【請求項２】
請求項１記載のシート状物積載規制装置において、
前記第１のシート状物規制部材を線材で形成し、
前記線材によって規制された前記シート状物の後端に向かってエアを吐出するエア吹き装置を備えたことを特徴とするシート状物積載規制装置。
【請求項３】
請求項１記載のシート状物積載規制装置において、
前記第１のシート状物規制部材を、前記規制軸に上下方向に摺動自在に支持されたホルダーと、このホルダーに支持されて互いに平行となるように上下方向に延在して前記シート状物の側面を規制する側面規制部および前記シート状物の後端を規制する後端規制部と、これら側面規制部および後端規制部の下端を連結する案内部とによって構成し、前記案内部が前記シート積載台に積載されたシート状物に対して外方に向かって拡げられていることを特徴とするシート状物積載規制装置。
【請求項４】
請求項１記載のシート状物積載規制装置において、前記第１および第２のシート状物規制部材が前記給紙装置側に支持されていることを特徴とするシート状物積載規制装置。
【請求項５】
請求項１記載のシート状物積載規制装置において、前記第２のシート状物規制部材は、前記規制軸に支持されていることを特徴とするシート状物積載規制装置。
【請求項６】
請求項３記載のシート状物積載規制装置において、
前記ホルダーに上下方向に貫通するＵ字状の溝が設けられ、
前記支持部材は、前記溝を案内する円柱と、前記円柱の一部が切り欠かれ前記溝の開口を通して前記ホルダーを前記規制軸に着脱させるカット部とを備えたことを特徴とするシート状物積載規制装置。
【発明の詳細な説明】
【０００１】
【発明の属する技術分野】
本発明は、例えば枚葉輪転印刷機において、積載された紙の最上部から１枚ずつサッカー装置で吸着する際に、積載された紙のずれを規制するシート状物積載規制装置に関する。
【０００２】
【従来の技術】
この種のサッカー装置には、紙を１枚ずつ吸着して送り出す吸口と、この吸口で積載された紙の最上紙のみを確実に吸着させるために、紙積みの上層部を一枚一枚分離するさばきと、吸口が最上紙を吸着し搬送する際に、下の紙がずれないように下方に押え、最上紙と下の紙を確実に分離するための吹足とが備えられている。また、紙積みの最上紙を吸着し搬送する際に紙がずれないように、紙尻を規制する紙規制部材および錘が設けられている。すなわち、サッカー装置のヘッド本体に横架された支持軸に支持された支持部材に、積載された紙の後端を規制する左右一対の規制部材と、支持部材に上下動自在に支持され積載された紙の最上部に載置される錘とが備えられている。
【０００３】
【発明が解決しようとする課題】
しかしながら、上述した従来のシート状物積載規制装置においては、紙の幅がきわめて小さく形成された、いわゆる極小サイズの紙を規制する場合は、紙の後端を錘で規制しようとすると、さばきによって紙積の上層部を一枚一枚分離することはできず、吸い口での吸着不良を起こすおそれがあり、錘および紙規制部材の使用ができなかったために、紙積状態が不安定となっていた。また、極小サイズの紙の場合は、狭いスペースの中に、吸口、さばき、吹足の他に紙規制部材を設置するので、これらを組み付けて位置を調整するのが煩雑であったり、紙のサイズによってはサッカー装置のヘッド本体に紙規制部材が当接するので、構造上、紙のずれを規制することができないという問題もあった。
【０００４】
本発明は上記した従来の問題に鑑みなされたものであり、その目的とするところは、極小サイズから最大紙サイズまでのすべてのシート状物の規制を可能とするシート状物積載規制装置を提供することにある。
【０００５】
【課題を解決するための手段】
この目的を達成するために、請求項１に係る発明は、シート積載台上に積載されたシート状物の最上部から１枚ずつ給紙する給紙装置と、規制軸に着脱可能に支持され、前記シート積載台上に積載された前記シート状物の後端側の左右方向および後端を規制する第１のシート状物規制部材と、前記シート積載台上に積載された前記シート状物の後端を規制する第２のシート状物規制部材とを備え、前記シート状物のサイズに対応して、前記第１のシート状物規制部材を前記規制軸から取り外して前記第２のシート状物規制部材によって前記シート状物を規制することと、前記第１のシート状物規制部材を前記規制軸に取り付けて前記第１のシート状物規制部材によって前記シート状物を規制することを選択可能としたものである。
【０００６】
また、請求項２に係る発明は、請求項１に係る発明において、前記第１のシート状物規制部材を線材で形成し、
前記線材によって規制された前記シート状物の後端に向かってエアを吐出するエア吹き装置を備えたものである。
【０００７】
また、請求項３に係る発明は、請求項１に係る発明において、前記第１のシート状物規制部材を、前記規制軸に上下方向に摺動自在に支持されたホルダーと、このホルダーに支持されて互いに平行となるように上下方向に延在して前記シート状物の側面を規制する側面規制部および前記シート状物の後端を規制する後端規制部と、これら側面規制部および後端規制部の下端を連結する案内部とによって構成し、前記案内部が前記シート積載台に積載されたシート状物に対して外方に向かって拡げられている。
【０００８】
また、請求項４に係る発明は、請求項１に係る発明において、前記第１および第２のシート状物規制部材が前記給紙装置側に支持されている。
【０００９】
また、請求項５に係る発明は、請求項１に係る発明において、前記第２のシート状物規制部材は、前記規制軸に支持されているものである。
【００１０】
また、請求項６に係る発明は、請求項３に係る発明において、前記ホルダーに上下方向に貫通するＵ字状の溝が設けられ、  前記支持部材は、前記溝を案内する円柱と、前記円柱の一部が切り欠かれ前記溝の開口を通して前記ホルダーを前記規制軸に着脱させるカット部とを備えたものである。
【００１１】
【発明の実施の形態】
以下、本発明の実施の形態を図を用いて説明する。図１は本発明に係るシート状物積載規制装置が採用されたサッカー装置の側面図である。図２は同じくサッカー装置の正面図、図３は図２におけるIII-III 線断面図である。図４は同じく通常紙を給紙するときに使用する紙規制部材と錘の詳細を示す側面図である。図５は同じく極小サイズの紙を給紙するときに使用する紙規制部材の詳細を示す側面図である。
【００１２】
図１において、符号１で示すものは、図示を省略した紙積台に積載されたシート状物としての紙であって、前端を倒伏可能な当て２によって揃えられている。３はサッカー装置であって、図中矢印Ａ−Ｂ方向に位置調整可能なサッカーヘッド本体４と、このサッカーヘッド本体４の下部に設けられた左右一対の吸口５，左右一対のさばき６，吹足７とが備えられている。さばき６から紙１の後端に吹き付けられたエアーによって、積載された紙１の上層部が一枚一枚分離され、吸口５に吸引エアーが供給されることにより、積載された紙１の最上位の紙がこの吸口５に吸着される。
【００１３】
このとき、下の紙がずれないように吹足７の押え部（図示せず）が下の紙を押え、次に最上位の紙と下の紙との間にエアーが吹き付けられることにより、最上紙と下の紙とが確実に分離される。この後吸口５が矢印Ａ方向に移動し、当て２が倒伏することにより、吸口５に吸着された紙１は、給紙ローラ８とこれと対接するピンチローラ９との間に搬送され、給紙ローラ８の図中時計方向への回転によって図示を省略したフィーダボード上に送り出される。図１および図２に示すように、サッカーヘッド本体４の後部側下端には、支持部材としての支持軸１０が左右方向に横架され、この支持軸１０の左右端部はサッカーヘッド本体４から突出している。
【００１４】
次に、図２、図３、図４、図５を用いて本発明の特徴である第１の紙規制手段１２と第２の紙規制手段４５とについて説明する。
図４に示すように、第１の紙規制手段１２は、止めねじ２５と共に規制軸１４を支持軸１０に保持するホルダー１３と、規制軸１４の下端に取り付けられる第２の規制部材１５と、規制軸１４に対して移動自在に支持されたホルダー１６に取り付けられる第１の規制部材１７とによって概略構成されている。また、第２の紙規制手段４５は、このように構成された第１の紙規制手段１２から第１の規制部材１７を取り外した状態、すなわち図５に示したように構成されている。
【００１５】
ホルダー１３は略直方体状に形成され、左右方向に貫通し支持軸１０の外径よりもわずかに大きい内径に形成された水平貫通孔２０と、この水平貫通孔２０に交差し垂直方向に貫通形成された垂直貫通孔２１と、後部側にはこの垂直貫通孔２１へ貫通するねじ孔２２とが設けられている。
【００１６】
規制軸１４は、中央に断面がＤ字状に形成されたＤカット部２８が設けられ、上部２６および下部２７は円柱状に形成され、下部２７とＤカット部２８との境界部には段状の係合部２７ａが設けられている。上部２６はホルダー１３の垂直貫通孔２１に貫挿されており、この上部２６の周面の一部には、支持軸１０の略半分が係入される断面が半円形の凹嵌部２６ａが形成されている。止めねじ２５には摘み２５ａが一体に形成され、ねじ部２５ｂの先端にはねじ部２５ｂの谷の径よりも小さい外径の小径部２５ｃが突出形成されている。ホルダー１３のねじ孔２２に止めねじ２５のねじ部２５ｂを螺合させ、止めねじ２５を図中左方に前進させると、小径部２５ｃが規制軸１４の上部２６に当接する。さらに、止めねじ２５を前進させると、規制軸１４の上部２６とホルダー１３とで支持軸１０を挟持することにより、規制軸１４が支持軸１０に固定される。
【００１７】
図５に示すように、第２の規制部材１５は、直方体状に形成された頭部３０と、この頭部３０の前端部下面に垂直下方に突出形成された薄板状の規制板３１とによって一体に形成されている。頭部３０には上下方向に貫通した貫通孔３０ａが設けられ、規制軸１４の下部２７にこの貫通孔３０ａを係入し、頭部３０の上面に取り付けた止め板３２を下部２７の係合部２７ａに係合させることにより、第２の規制部材１５が規制軸１４に回動が規制され、上下動自在に支持される。規制板３１の左右端には、互いに対向する左右一対の凸条体３１ａ，３１ａ（一方の凸条体３１ａは図示を省略）が上下方向に延在し、これら凸条体３１ａ，３１ａの下端部には、係合突起３１ｂ，３１ｂが突設されている。
【００１８】
図４において、ホルダー１６は、直方体状に形成された保持部３３と、この保持部３３の下面前部側に下方に突出形成された支持部３４とによって形成されている。図３に示すように、保持部３３の後端部には、上下方向に貫通する略Ｕ字状の溝３３ａが形成され、この溝３３ａの内径は規制軸１４の下部２７の外径よりもわずかに大きく形成され、溝３３ａの開口３３ｂの幅Ｄは下部２７の外径よりもわずかに小さく形成されている。図４に示すように、ホルダー１６の支持部３４の下部の両側面には、後方に延設された左右一対の挟持片３５，３５が取り付けられており、これら挟持片３５，３５の先端には、図３に示すように、互いに対向するように折曲げ形成された係合部３５ａ，３５ａが設けられている。
【００１９】
このような構成において、ホルダー１６を規制軸１４に取り付けるには、図３に二点鎖線で示すように、規制軸１４のＤカット部２８の側方からホルダー１６の溝３３ａの開口３３ｂをＤカット部２８に係入する。実線で示すように、ホルダー１６を略９０°回動させると、開口３３ｂからＤカット部２８の抜けが規制されるとともに、挟持片３５，３５の係合部３５ａ，３５ａが図５に示すように、第２の規制部材１７の凸条体３１ａ，３１ａに係合する。したがって、ホルダー１６は規制軸１４に回動を規制され、上下方向に摺動自在に支持される。
【００２０】
図４に示すように、第１の規制部材１７は、互いに平行となるように上下方向に延在する側面規制部３８および後端規制部３９と、これらの上端部において直角に折曲げられ互いに平行となるように水平方向に延在する支持部３８ａ，３９ａと、側面規制部３８および後端規制部３９の下端を連結する案内部４０とによって、線材で一連に形成されている。支持部３８ａの全長は、支持部３９ａの全長より短く形成されている。案内部４０は、下方に向かって支持部３８ａ，３９ａ側に向かって拡がるように折曲げ形成されている。
【００２１】
この第１の規制部材１７は、支持部３８ａ，３９ａの先端をホルダー１６の保持部３３の側面の穴（図示せず）に圧入することにより、ホルダー１６に、側面規制部３８および後端規制部３９が上下方向に延在するように取り付けられる。このように第１の規制部材１７が取り付けられたホルダー１６を、上述したように、図３において実線で示すように９０°回動させた状態では、第１の規制部材１７の後端規制部３９が積載された紙１の後端の延長線上に位置付けられるとともに、案内部４０が積載された紙１に対して外方に拡がるように位置付けられる。図５において、４２は錘であって、両側面に取り付けた挟持片３５，３５の係合部３５ａ，３５ａが、第２の規制部材１７の凸条体３１ａ，３１ａに係合し、錘４２は第２の規制部材１５の規制板３１に上下方向に摺動自在に支持されている。
【００２２】
次に、このような構成のシート状物積載規制装置におけるシート状物のずれを規制する規制動作を説明する。
先ず、図２において符号１Ａで示す極小サイズの紙のずれを規制する場合の動作を説明する。
この場合には、図２で実線で示すように、支持軸１０に一対の第１の紙規制手段１２を紙１Ａの左右方向に位置付けるようにして取り付ける。すなわち、図４において、止めねじ２５の摘み２５ａを回動操作し、止めねじ２５を図中右方に後退させることにより、規制軸１４の上部２６とホルダー１３とによる支持軸１０の挟持を緩める。
【００２３】
図２において、支持軸１０に沿って左右の第１の紙規制手段１２，１２を互いに中央側に移動させ、図３に示すように、第１の規制部材１７の後端規制部３９を紙１Ａの後端に位置付ける。さらに、左右の第１の紙規制手段１２，１２を互いに中央側に移動させると、支持部３８ａと支持部３９ａとが互いに平行となるように延在し、かつ支持部３８ａの全長が支持部３９ａの全長より短く形成されていることにより、左右の側面規制部３８，３８が紙１Ａの左右の両側面に当接する。図４において、止めねじ２５の摘み２５ａを回動操作し、止めねじ２５を図中左方に前進させ、規制軸１４の上部２６とホルダー１３とによって支持軸１０を挟持することにより、左右一対の第１の紙規制手段１２を所定位置に固定する。
【００２４】
このように第１の紙規制手段１２，１２の後端規制部３９と側面規制部３８とによって、積載された極小サイズの紙１Ａの後端のみならず両側面のずれを規制するので、特に載置状態が安定しない極小サイズの紙１Ａのずれを規制して給紙不良を防止することができる。また、第１の紙規制手段１２，１２の第１の規制部材１７が線材で形成されていることにより、この第１の規制部材１７によって、吸口５，さばき６，吹足７を覆い隠すことがない。したがって、これらの吸口５，さばき６，吹足７の位置調整を行うとき作業の邪魔になるようなことがないので、作業性が向上するだけでなく、第１の規制部材１７によって、これらの吸口５，さばき６，吹足７からのエアーの吸引や吹き付けを妨げることがないので、給紙不良を防止できる。
【００２５】
また、第１の規制部材１７の案内部４０が、積載された紙１Ａに対して下方に向かって外側に拡がっており、かつ第１の規制部材１７がホルダー１６を介して規制軸１４に上下動自在に支持されている。したがって、図示を省略した紙積台を上昇させて積載された紙１Ａを突き上げ、左右の第１の規制部材１７，１７間に設置する際に、紙１Ａが多少ずれていて案内部４０に当接しても、一旦第１の規制部材１７が上昇するので、当接の衝撃が緩和される。次に、案内部４０によって紙１Ａのずれが円滑に案内されながら揃えられるので、幅方向および天地方向が揃えられて第１の規制部材１７，１７によってずれが規制される。
【００２６】
また、図２に示すように、水平方向に延在する支持部３８ａ，３９ａを介してホルダー１６に取り付けた第１の規制部材１７によって紙１Ａのずれを規制するようにしたことにより、極小サイズの紙１Ａの幅がさらに小さい場合にも、サッカーヘッド本体４に第１の規制部材１７が当接することがない。したがって、すべてのサイズの紙のずれを規制することが可能になる。
【００２７】
ここで、図１において、積載された紙１に対して給紙ヘッド本体４を矢印Ａ−Ｂ方向に移動させて位置を調整する場合、第１の紙規制手段１２が給紙ヘッド本体４に横架された支持軸１０に支持されていることにより、第１の紙規制手段１２も給紙ヘッド本体４の移動に追従して一体的に移動する。したがって、給紙ヘッド本体４の移動とは別に、第１の紙規制手段１２を個々に移動させて調整する必要がないから、調整作業に要する負荷が軽減される。
【００２８】
次に、図２に二点鎖線で示す、極小サイズよりも大きいサイズであるいわゆる通常サイズの紙１Ｂのずれを規制する場合を図２，図３，図４，図５を用いて説明する。
先ず、図４において、止めねじ２５の摘み２５ａを回動操作し、止めねじ２５を図中右方に後退させることにより、規制軸１４の上部２６とホルダー１３とによる支持軸１０の挟持を緩める。図２において、支持軸１０に沿って左右の第１の紙規制手段１２，１２を互いに離間するように左方または右方に移動させ、図中二点鎖線で示す位置に移動させる。図４において、止めねじ２５の摘み２５ａを回動操作し、止めねじ２５を図中左方に前進させることにより、規制軸１４の上部２６とホルダー１３とによって支持軸１０を挟持し、左右の第１の紙規制手段１２，１２を所定位置に固定する。
【００２９】
図３に実線で示す状態から、ホルダー１６を略９０°回動させると、挟持片３５，３５の係合部３５ａ，３５ａと、第２の規制部材１７の凸条体３１ａ，３１ａとの係合が解除される。したがって、ホルダー１６を左右方向に移動させると、図中二点鎖線で示すように、規制軸１４のＤカット部２８に係入されていたホルダー１６の溝３３ａが外れのるで、ホルダー１６と第１の規制部材１７とを規制軸１４から外すことにより、第１の規制手段１２が第２の規制手段４５に変換される。
【００３０】
このように、同じ支持軸１０にこれら２種類の規制手段１２，４５を支持するようにしたことにより、部品を共用できるので、製造コストを低減できるだけでなく構造も簡素化される。また、第２の紙規制手段４５は、第１の紙規制手段１２から第１の規制部材１７を取り外すことによって構成されていることにより、ほとんどの部品を共用できるので、製造コストが低減される。また、支持軸１０に極小サイズの紙Ａを規制する第１の規制手段１２を着脱自在に取り付けるようにしたから、極小サイズの紙に対しもシート状物規制部材によって紙の規制が可能になる。
【００３１】
第１の紙規制手段１２を給紙ヘッド本体４に横架された支持軸１０に支持したが、これに限定されることはなく、例えば給紙装置のフレームに支持してもよく、種々の設計変更が可能である。また、シート状物を紙１としたが、フィルム状のシートでもよい。また、上述した実施の形態では、第１の紙規制手段１２と第２の紙規制手段４５とを使い分けることにより、すべてのサイズの紙に対応するようにしたが、第２の紙規制手段４５を用いずに、第１の紙規制手段１２の第１の規制部材１７だけですべてのサイズの紙に対応させるようにしてもよい。
【００３２】
【発明の効果】
以上説明したように、請求項１に係る発明によれば、積載されたシート状物の後端のみならず幅方向も規制されることにより、極小サイズの紙の規制が確実に行われる。
【００３３】
また、請求項２に係る発明によれば、給紙装置から紙に吹き付けられるエアーや紙を吸引するためのエアーの通過するスペースが確保されることにより、給紙不良が防止される。また、シート状物規制部材によって給紙装置を構成する各手段が目隠し状態になるようなことがないので、各手段の調整が容易になる。
【００３４】
また、請求項３に係る発明によれば、積載された紙が突き上げられるときに、紙の不揃いが規制部材の下端部によって規制されながら揃えられることにより、円滑かつ確実に紙が規制される。
【００３５】
また、請求項４に係る発明によれば、給紙装置を移動させると一体的にシート状物規制部材も移動することにより、給紙装置の移動とは別に、シート状物規制部材を個々に移動させて調整する必要がないから、調整作業に要する負荷が軽減される。
【図面の簡単な説明】
【図１】  本発明に係るシート状物積載規制装置が採用されたサッカー装置の側面図である。
【図２】  本発明に係るシート状物積載規制装置が採用されたサッカー装置の正面図である。
【図３】  図２におけるIII-III 線断面図である。
【図４】  本発明に係るシート状物積載規制装置において、通常紙を給紙するときに使用する紙規制部材と錘の詳細を示す側面図である。
【図５】  本発明に係るシート状物積載規制装置において、極小サイズの紙を給紙するときに使用する紙規制部材の詳細を示す側面図である。
【符号の説明】
１…紙、１Ａ…極小サイズの紙、１Ｂ…通常サイズの紙、３…サッカー装置、４…サッカーヘッド本体、５…吸口、６…さばき、７…吹足、１０…支持軸、１２…第１の紙規制手段、１４…支持軸、１５…第２の規制部材、１６…ホルダー、１７…第１の規制部材、２５…止めねじ、３１…規制板、３８…側面規制部、３９…後端規制部、３８ａ，３９ａ…支持部、４０…案内部、４２…錘、４５…第２の紙規制手段。
【図１】
0004391683.tif 000002
【図２】
0004391683.tif 000003
【図３】
0004391683.tif 000004
【図４】
0004391683.tif 000005
【図５】
0004391683.tif 000006